【手続補正書】
【提出日】平成30年3月15日(2018.3.15)
【手続補正１】
【補正対象書類名】明細書
【補正対象項目名】発明の名称
【補正方法】変更
【補正の内容】
【発明の名称】電子機器、電子機器の制御方法、プログラム及び無線通信システム
【手続補正２】
【補正対象書類名】明細書
【補正対象項目名】０００１
【補正方法】変更
【補正の内容】
【０００１】
本発明は、電子機器間で情報やデータの送受信を行う電子機器、電子機器の制御方法、プログラム及び無線通信システムに関する。
【手続補正３】
【補正対象書類名】明細書
【補正対象項目名】０００６
【補正方法】変更
【補正の内容】
【０００６】
そこで、本発明は、上述した問題点に鑑み、通信を利用して電子機器間で情報やデータを送受信する際に、意図した電子機器に簡易かつ確実に接続することができる電子機器、電子機器の制御方法、プログラム及び無線通信システムを提供することを目的とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、
電子機器であって、
制御部と表示部とを有し、
前記制御部は、
通信を行う機能を有する少なくとも一つの他の電子機器において外部から撮像可能な位置に示されている、前記他の電子機器が行う通信の通信規格の種類を含むデバイス情報を有している識別画像が撮像された画像から前記デバイス情報を取得し、
前記他の電子機器と前記デバイス情報が対応つけられた情報を前記表示部に表示させることを特徴とする。
【手続補正６】
【補正対象書類名】明細書
【補正対象項目名】０００９
【補正方法】変更
【補正の内容】
【０００９】
本発明に係る電子機器の制御方法は、
制御部と表示部とを有する電子機器の制御方法であって、
通信を行う機能を有する少なくとも一つの他の電子機器において外部から撮像可能な位置に示されている、前記他の電子機器が行う通信の通信規格の種類を含むデバイス情報を有している識別画像が撮像された画像から前記デバイス情報を取得し、
前記他の電子機器と前記デバイス情報が対応つけられた情報を前記表示部に表示させることを特徴とする。
【手続補正７】
【補正対象書類名】明細書
【補正対象項目名】００１０
【補正方法】変更
【補正の内容】
【００１０】
本発明に係るプログラムは、
制御部と表示部とを有する電子機器のコンピュータに、
通信を行う機能を有する少なくとも一つの他の電子機器において外部から撮像可能な位置に示されている、前記他の電子機器が行う通信の通信規格の種類を含むデバイス情報を有している識別画像が撮像された画像から前記デバイス情報を取得させ、
前記他の電子機器と前記デバイス情報が対応つけられた情報を前記表示部に表示させることを特徴とする。
【手続補正８】
【補正対象書類名】明細書
【補正対象項目名】００１１
【補正方法】変更
【補正の内容】
【００１１】
本発明に係る無線通信システムは、
第１の電子機器と１又は複数の第２の電子機器との間で互いに無線通信を行う無線通信システムにおいて、
前記第２の電子機器は、当該第２の電子機器において外部から撮像可能な位置に示されている、当該第２の電子機器が行う通信の通信規格の種類を含むデバイス情報を有している識別画像を表示し、
前記第１の電子機器は、
制御部と表示部とを有し、
前記制御部は、
前記第２の電子機器に表示されている識別画像が撮像された画像から前記デバイス情報を取得し、
前記第２の電子機器と前記デバイス情報が対応つけられた情報を前記表示部に表示させる、ことを特徴とする。
【手続補正９】
【補正対象書類名】明細書
【補正対象項目名】００１４
【補正方法】変更
【補正の内容】
【００１４】
以下、本発明に係る電子機器、電子機器の制御方法、プログラム及び無線通信システムについて、実施形態を示して詳しく説明する。
＜第１の実施形態＞
図１は、本発明に係る無線通信システムの第１の実施形態を示す概略構成図である。図１（ａ）、（ｂ）は、本実施形態に係る携帯型の電子機器（以下、便宜的に「携帯機器」と記す）の例を示す概略図であり、図１（ｃ）〜（ｅ）は本実施形態に係る接続対象となる電子機器（以下、便宜的に「対象機器」と記す）の例を示す概略図である。図２は、本実施形態に適用される携帯機器及び対象機器の機能構成の一例を示すブロック図である。図２（ａ）は、携帯機器の機能構成の一例を示すブロック図であり、図２（ｂ）は対象機器の機能構成の一例を示すブロック図である。
【手続補正１０】
【補正対象書類名】特許請求の範囲
【補正対象項目名】全文
【補正方法】変更
【補正の内容】
【特許請求の範囲】
【請求項１】
制御部と表示部とを有し、
前記制御部は、
通信を行う機能を有する少なくとも一つの他の電子機器において外部から撮像可能な位置に示されている、前記他の電子機器が行う通信の通信規格の種類を含むデバイス情報を有している識別画像が撮像された画像から前記デバイス情報を取得し、
前記他の電子機器と前記デバイス情報が対応つけられた情報を前記表示部に表示させることを特徴とする電子機器。
【請求項２】
前記他の電子機器と前記デバイス情報が対応つけられた情報は、前記他の電子機器の画像と、前記デバイス情報に対応させた画像情報と、の組み合わせである組み合わせ画像であることを特徴とする請求項１に記載の電子機器。
【請求項３】
前記制御部は、
前記他の電子機器が、前記通信により当該電子機器と接続が可能な状態であるか否かを示す通信の有効／無効情報を取得し、
前記画像情報に前記通信の有効／無効情報を含ませることを特徴とする請求項２に記載の電子機器。
【請求項４】
前記制御部は、
前記他の電子機器を、前記識別画像を含めて撮像した被写体画像における前記識別画像から前記デバイス情報を取得し、前記他の電子機器の画像と、前記デバイス情報に対応させた画像情報と、の組み合わせである前記組み合わせ画像を前記表示部に表示させることを特徴とする請求項２又は３に記載の電子機器。
【請求項５】
前記制御部は、
複数の前記他の電子機器の各々における複数の前記識別画像を含めて前記複数の他の電子機器を撮像した前記被写体画像における前記複数の他の電子機器の各々の複数の前記識別画像から、前記複数の他の電子機器の各々の前記通信規格の種類を示す複数のデバイス情報を取得し、
前記組み合わせ画像を、前記被写体画像における前記複数の他の電子機器の画像と、前記複数のデバイス情報の各々に対応させた複数の前記画像情報と、を互い組み合わせた複数の画像にすることを特徴とする２乃至４の何れか一項に記載の電子機器。
【請求項６】
前記表示部に表示されている前記複数の他の電子機器の画像の何れかを選択する選択手段を有し、
前記制御部は、前記選択手段により、前記表示部に表示されている前記複数の他の電子機器の画像のうちの特定の電子機器の画像が選択された場合に、前記特定の電子機器が行う通信の特定の通信規格で通信を行うように当該電子機器を制御することを特徴とする請求項５に記載の電子機器。
【請求項７】
前記画像情報は、前記通信規格の種類を示すアイコン画像又は図形であることを特徴とする請求項２乃至６の何れか一項に記載の電子機器。
【請求項８】
制御部と表示部とを有する電子機器の制御方法であって、
通信を行う機能を有する少なくとも一つの他の電子機器において外部から撮像可能な位置に示されている、前記他の電子機器が行う通信の通信規格の種類を含むデバイス情報を有している識別画像が撮像された画像から前記デバイス情報を取得し、
前記他の電子機器と前記デバイス情報が対応つけられた情報を前記表示部に表示させることを特徴とする電子機器の制御方法。
【請求項９】
制御部と表示部とを有する電子機器のコンピュータに、
通信を行う機能を有する少なくとも一つの他の電子機器において外部から撮像可能な位置に示されている、前記他の電子機器が行う通信の通信規格の種類を含むデバイス情報を有している識別画像が撮像された画像から前記デバイス情報を取得させ、
前記他の電子機器と前記デバイス情報が対応つけられた情報を前記表示部に表示させることを特徴とするプログラム。
【請求項１０】
第１の電子機器と１又は複数の第２の電子機器との間で互いに無線通信を行う無線通信システムにおいて、
前記第２の電子機器は、当該第２の電子機器において外部から撮像可能な位置に示されている、当該第２の電子機器が行う通信の通信規格の種類を含むデバイス情報を有している識別画像を表示し、
前記第１の電子機器は、
制御部と表示部とを有し、
前記制御部は、
前記第２の電子機器に表示されている識別画像が撮像された画像から前記デバイス情報を取得し、
前記第２の電子機器と前記デバイス情報が対応つけられた情報を前記表示部に表示させる、
ことを特徴とする無線通信システム。